(57)【要約】【課題】扉の警報装置を有する冷蔵庫に関し、扉開放時の警告音を聞きやすくすることを目的とする。【解決手段】冷蔵庫上部前面のヒンジカバー３５内の凹部ケース４０に設けた基板４１上に警告音を発するスピーカー４２を配置したことで使用者は警告音を認識しやすくなる。【選択図】　図３
2004085071.tif 000002
【特許請求の範囲】
【請求項１】
内箱と、外箱と、前記内箱と外箱間に配する発泡断熱材とからなる断熱箱体の最上部貯蔵室の前面に回転式扉を有する冷蔵庫において、前記回転式扉の上部ヒンジと、ヒンジ固定部と、前記ヒンジ固定部近傍で前記外箱に設けた凹部と、前記凹部内に収納した基板と、前記上部ヒンジとヒンジ固定部と凹部を覆うヒンジカバーとを有し、前記基板上にスピーカーを設けたことを特徴とする冷蔵庫。
【請求項２】
基板上に外気温センサーを配置したことを特徴とする請求項１に記載の冷蔵庫。
【請求項３】
ヒンジ固定部と凹部を覆うように外箱の発泡断熱材側に熱伝導部材を配置したことを特徴とする請求項１または２に記載の冷蔵庫。
【請求項４】
熱伝導部材はアルミ箔テープとしたことを特徴とする請求項３に記載の冷蔵庫。
【請求項５】
上部ヒンジを固定するために外箱に設けたヒンジ固定部のネジ穴を熱伝導部材で覆ったことを特徴とする請求項３または４に記載の冷蔵庫。
【発明の詳細な説明】
【０００１】
【発明の属する技術分野】
本発明は、扉の警報装置を有する冷蔵庫に関するものである。
【０００２】
【従来の技術】
近年、冷蔵庫の扉の制御装置では扉の開閉状態をドアスイッチで検知し、扉の開状態が一定時間を経過したら警告音を発するものがある。又、外気温度センサーで検知する外気温度の変化に対応した保温用ヒータと蒸発器用ファンと凝縮器用ファンの制御を行っていた。上記、従来の冷蔵庫としては、特開平５−２２３４３６号公報がある。
【０００３】
以下、図面を参照しながら上記従来の冷蔵庫を説明する。
【０００４】
図６は従来の冷蔵庫の正面図、図７は従来の冷蔵庫の側面断面図である。図において、１は外箱、２は内箱、３は冷蔵室ドア、４は冷凍室引出しドア、５と６はドアスイッチ、７は保温用ヒータ、８は蒸発器用ファン、９は凝縮器用ファン、１０は庫内温度等を制御する冷蔵庫背面に搭載した制御基板、１１は発泡断熱材、１２はヒンジカバー、１３はスピーカー、１４は外気温センサーである。
【０００５】
次に動作について説明する。冷蔵室ドア３と冷凍室引出しドア４が閉の時はドアスイッチ５と６はＯＦＦの状態であり、どちらか一方あるいは両方が開の時はドアスイッチ５と６の状態はＯＮになる。ＯＮの状態が一定時間経過すると制御基板１０上のマイコンでドアが開の状態を検知し、前記制御基板上のスピーカー１３から警告音がなり、使用者に知らせる。又、保温用ヒータ７と蒸発器用ファン８と凝縮器用ファン９は制御基板１０上の外気温センサー１４で検知した温度に対応し、低外気温時は、保温用ヒータ７の通電率を多くし、蒸発器ファン８と凝縮器ファン９の回転数を下げる制御を行っていた。又制御基板１０は背面に設置している為、設置部分の断熱用ウレタン１１が他の部分と比べ薄い構成になっている。又、ドアヒンジ１２は取り付け部のネジ穴１５から断熱用ウレタン１１の発泡時に、洩れを防止する為にネジ穴１５に漏れ防止用テープを貼っていた。
【０００６】
【発明が解決しようとする課題】
しかしながら、前記従来の技術では制御基板が背面に設置の為、制御基板上に設置されているスピーカーからの警告音が聞こえ難く、制御基板上の外気温センサーでは冷蔵庫の運転条件（運転率の変化）で制御基板上の熱発生部品の影響を受け正確な温度検知ができなかった。又制御基板設置部分の断熱用ウレタンが薄い為、冷蔵庫内の冷気の影響で発汗する恐れがあった。
【０００７】
本発明は上記従来の課題を解消する為になされたもので、扉開放時の警告音を聞きやすくすることを目的とする。また、外気温センサーは冷蔵庫の運転条件により制御基板上の熱影響を受けにくくし、冷蔵庫庫内の冷気の影響を受けず発汗を防ぐことを目的とする。
【０００８】
【課題を解決するための手段】
本発明の請求項１に記載の発明は、内箱と、外箱と、前記内箱と外箱間に配する発泡断熱材とからなる断熱箱体の最上部貯蔵室の前面に回転式扉を有する冷蔵庫において、前記回転式扉の上部ヒンジと、ヒンジ固定部と、前記ヒンジ固定部近傍で前記外箱に設けた凹部と、前記凹部内に収納した基板と、前記上部ヒンジとヒンジ固定部と凹部を覆うヒンジカバーとを有し、前記基板上にスピーカーを設けたものであり、冷蔵庫上部前面のヒンジカバー内にスピーカーを設置することで、扉開放時の警告音を使用者が聞きやすくなる。
【０００９】
請求項２に記載の発明は、請求項１に記載の発明において、基板上に外気温センサーを配置したものであり、冷蔵庫の運転条件で制御基板上から発生する熱の影響を受けず、より正確な外気温度を感知することが出来る。
【００１０】
請求項３に記載の発明は、請求項１または２に記載の発明において、上部ヒンジ固定部と凹部を覆うように外箱の発泡断熱材側に熱伝導部材を配置したものであり、外箱とヒンジからの外気の熱を凹部に伝えることで凹部内の発汗を防止することができる。
【００１１】
請求項４に記載の発明は、請求項３に記載の発明において、熱伝導部材はアルミ箔テープとしたものであり、組立が容易で、低コスト化が図れる。
【００１２】
請求項５に記載の発明は、請求項３または４に記載の発明において、上部ヒンジを固定するために外箱に設けたヒンジ固定部のネジ穴を熱伝導部材で覆ったものであり、熱伝導部材でネジ穴からの断熱用ウレタン発泡時のウレタン洩れを防止できる。
【００１３】
【発明の実施の形態】
以下、本発明の実施の形態について、図１から図５を用いて説明する。
【００１４】
（実施の形態１）
図１は本発明の実施の形態１の冷蔵庫の正面図、図２は同実施の形態の冷蔵庫の側面断面図、図３は同実施の形態の冷蔵庫の警報音発生手段のフローチャートである。図４は同実施の形態の冷蔵庫のヒンジ部を上面から見た平面図、図５は同実施の形態の冷蔵庫のヒンジ部の要部断面図である。
【００１５】
図において、１６は冷蔵庫で、外箱１７と内箱１８と発泡断熱材１９からなる断熱箱体を断熱仕切壁２０で上下に区画し、上部には冷蔵室２１、野菜室２２を、下部には冷凍室２３を配している。冷蔵室２１の前面開口部にはヒンジ式の冷蔵室扉２４、野菜室２２の前面開口部には引出し式の野菜室扉２５、冷凍室２３の前面開口部には引出し式の冷凍室扉２６を有している。２７は冷蔵室扉スイッチ、２８は冷凍室扉スイッチで、それぞれ冷蔵室扉２４、冷凍室扉２６の開動作によりＯＮし、閉動作でＯＦＦするものである。
【００１６】
断熱仕切壁２０の野菜室２２側には保温用ヒータ２９を設け、冷凍室２３の背面には蒸発器３０、蒸発器用ファン３１を設けている。また、冷蔵庫１６の下部背面には機械室３２を有し、内部に圧縮機（図示せず）、凝縮器用ファン３３、制御基板３４を配している。
【００１７】
３５はヒンジカバーで、内部に冷蔵室扉２４支持用のヒンジピン３６を有する上部ヒンジ３７を配し、上部ヒンジ３７はヒンジ固定部３８のビス穴３９を介して、図示しないビスで外板１７に固定される。４０は凹部ケースで、凹部ケース４０の内部には基板４１を有し、基板４１の上にはスピーカー４２と外気温センサー４３が配置されている。
【００１８】
また、図４に示すようにヒンジ固定部３８と凹部ケース４０を覆うように熱伝導部材であるアルミ箔テープ４４を発泡断熱材１９側から外箱１７まで貼り付けている。また、ヒンジ固定部３８のビス穴３９もアルミ箔テープ４４で覆うように貼り付けている。
【００１９】
上記構成において次に、扉の開閉動作と警報装置について、図５のフローチャートで説明する。まず、冷蔵室扉２４あるいは冷凍室扉２６の開動作により冷蔵室扉スイッチ２７あるいは冷凍室扉スイッチ２８はＯＮとなる（Ｓ１）。（以下、冷蔵室扉２４あるいは冷凍室扉２６を総称して扉、冷蔵室扉スイッチ２７あるいは冷凍室扉スイッチ２８を総称して扉スイッチと言う。）そして、ＯＮの状態を検知すると信号が制御基板３４上のマイコンに伝達され開時間の計算をはじめる。そしてあらかじめ設定した時間、たとえばＴ時間経過したかどうかを判断し（Ｓ２）、Ｔ時間経過する前に扉が閉じられると扉スイッチはＯＦＦとなり、警報装置は動作せず制御は終了する（Ｓ３）。一方、扉スイッチがＯＮ状態でＴ時間経過すると、扉の閉め忘れと判断し、ヒンジカバー３５内の凹部４０に設置されたスピーカー４２に電気信号が送られスピーカー４２から警告音を発生する（Ｓ４）。警告音は扉が閉じられ扉スイッチがＯＦＦする（Ｓ５）と警告音は終了する（Ｓ６）。
【００２０】
ここで、警告音を発するスピーカー４２は、冷蔵庫上部前面のヒンジカバー３５内に設けているので、使用者は警告音を認識しやすくなる。また、従来の冷蔵庫背面の制御基板内に設置していた場合に比べ、比較的少ない音量で警告音を使用者に認識させることができるので、消費電力の低減、スピーカーの耐久信頼性が高まる。
【００２１】
また、基板４１には外気温センサー４３を設けているので、外気温センサー４３で検知された温度は制御基板３４上にあるマイコンに伝達され外気温度の判定を行う。検知された温度がＬよりも低ければ保温用ヒータ２９を連続通電する。また、検知された温度がＬよりも高くＨよりも低い範囲では、温度に応じて通電比率を設定している（低いほど通電比率を高める）。また、検知された温度がＨよりも高い場合は保温用ヒータ２９への通電は行なわない。
【００２２】
また、外気温センサー４３で検知された温度がＬよりも低い場合、蒸発器用ファン３１および凝縮器用ファン３３の回転数を低く設定し、Ｈよりも高い場合は蒸発器用ファン３１および凝縮器用ファン３３の回転数を高く設定する。
【００２３】
上記保温用ヒータ２９への通電制御により、周囲温度が低くなった場合の野菜室２２内の温度の適正化を図り、また、蒸発器用ファン３１および凝縮器用ファン３３の回転数制御により、周囲温度に応じた冷凍サイクルの効率化を図ることができる。そして、外気温センサー４３は冷蔵庫上部前面のヒンジカバー３５内に設けているので、冷蔵庫の運転状態の熱影響を受けず、周囲温度を正しく検知でき、従来の冷蔵庫背面の制御基板内に設置していた場合に比べ、より外気温に適した制御が出来る。
【００２４】
また、凹部ケース４０の配置による発泡断熱材１９の壁厚減少により凹部ケース４０内に発汗が生じる恐れがあるが、ヒンジ固定部３８と凹部ケース４０を覆うように熱伝導部材であるアルミ箔テープ４４を発泡断熱材１９側から外箱１７まで貼り付けているので、外箱１７とヒンジ固定部３８からの熱を凹部ケース４０に伝えることができ、凹部ケース４０内の発汗を防止できる。
【００２５】
また、熱伝導部材をアルミ箔テープ４４としているので、製造工程での組立が容易となり低コスト化が図れる。
【００２６】
また、ヒンジ固定部３８のビス穴３９もアルミ箔テープ４４で覆うように貼り付けているので、熱伝導部材であるアルミ箔テープ４４でネジ穴からの断熱用ウレタン発泡時のウレタン洩れを防止できる。したがって、ウレタン発泡時の洩れ防止のための専用部材を必要とせず、低コスト化が図れる。
【００２７】
【発明の効果】
以上、説明したように請求項１に記載の発明は、内箱と、外箱と、前記内箱と外箱間に配する発泡断熱材とからなる断熱箱体の最上部貯蔵室の前面に回転式扉を有する冷蔵庫において、前記回転式扉の上部ヒンジと、ヒンジ固定部と、前記ヒンジ固定部近傍で前記外箱に設けた凹部と、前記凹部内に収納した基板と、前記上部ヒンジとヒンジ固定部と凹部を覆うヒンジカバーとを有し、前記基板上にスピーカーを設けたものであり、冷蔵庫上部前面のヒンジカバー内にスピーカーを設置することで、扉開放時の警告音を使用者が認識しやすくなる。また、消費電力の低減、スピーカーの耐久信頼性が高まる。
【００２８】
また、請求項２に記載の発明は、請求項１に記載の発明において、基板上に外気温センサーを配置したものであり、冷蔵庫の運転条件で制御基板上から発生する熱の影響を受けず、より正確な外気温度を感知することが出来、外気温に応じた適切な冷蔵庫の制御が可能となる。
【００２９】
また、請求項３に記載の発明は、請求項１または２に記載の発明において、上部ヒンジ固定部と凹部を覆うように外箱の発泡断熱材側に熱伝導部材を配置したものであり、外箱とヒンジからの外気の熱を凹部に伝えることで凹部内の発汗を防止することができる。
【００３０】
また、請求項４に記載の発明は、請求項３に記載の発明において、熱伝導部材はアルミ箔テープとしたものであり、組立が容易で、低コスト化が図れる。
【００３１】
また、請求項５に記載の発明は、請求項３または４に記載の発明において、上部ヒンジを固定するために外箱に設けたヒンジ固定部のネジ穴を熱伝導部材で覆ったものであり、熱伝導部材でネジ穴からの断熱用ウレタン発泡時のウレタン洩れを防止でき、低コスト化が図れる。
【図面の簡単な説明】
【図１】本発明による冷蔵庫の実施の形態１の冷蔵庫の正面図
【図２】同実施の形態の冷蔵庫の側面断面図
【図３】同実施の形態の冷蔵庫の警報音発生手段のフローチャート
【図４】同実施の形態の冷蔵庫のヒンジ部を上面から見た平面図
【図５】同実施の形態の冷蔵庫のヒンジ部の要部断面図
【図６】従来の冷蔵庫の正面図
【図７】従来の冷蔵庫の側面断面図
【符号の説明】
１６　冷蔵庫
１７　外箱
１８　内箱
１９　発泡断熱材
２４　冷蔵室扉
３５　ヒンジカバー
３７　上部ヒンジ
３８　ヒンジ固定部
３９　ビス穴
４０　凹部ケース
４１　基板
４２　スピーカー
４３　外気温センサー
４４　アルミ箔テープ
【図１】
2004085071.tif 000003
【図２】
2004085071.tif 000004
【図３】
2004085071.tif 000005
【図４】
2004085071.tif 000006
【図５】
2004085071.tif 000007
【図６】
2004085071.tif 000008
【図７】
2004085071.tif 000009